(57)【特許請求の範囲】
【請求項１】
材質自体の弾性力により湾曲状に変位可能な板状支持部５の両端部にそれぞれ脚部６を有する１枚のベース体２と、このベース体２の上面を左右方向に滑動するローラー構造体３と、このローラー構造体３に載せられ、かつ、利用者が乗ってバランスを取るバランスボード４とから成るバランス感覚訓練用運動具であって、前記ローラー構造体３は、大径の中心ローラー７と、この中心ローラー７の左右に位置し、かつ、中心ローラー７よりも小径の左右のローラー８、９と、中心ローラー７及び左右のローラー８、９を所定間隔に連結する連結杆１０とから成り、また、前記左右のローラー８、９の両端部には、ベース体２並びにバランスボード４にそれぞれ係合する鍔１１が周設されており、さらに、前記連結杆１０は、前記各ローラー７、ローラー８、９の中心孔用の軸部１２と、これらの軸部１２をそれぞれ一体的に連結する前後一対の棒状連結部１３、１３とから成ることを特徴とするバランス感覚訓練用運動具。
【請求項２】
予め下方に湾曲状に形成された板状支持部５Ａの両端部にそれぞれ脚部６を有する１枚のベース体２Ａと、このベース体２Ａの上面を左右方向に滑動するローラー構造体３と、このローラー構造体３に載せられ、かつ、利用者が乗ってバランスを取るバランスボード４とから成るバランス感覚訓練用運動具であって、前記ローラー構造体３は、大径の中心ローラー７と、この中心ローラー７の左右に位置し、かつ、中心ローラー７よりも小径の左右のローラー８、９と、中心ローラー７及び左右のローラー８、９を所定間隔に連結する連結杆１０とから成り、また、前記左右のローラー８、９の両端部には、ベース体２並びにバランスボード４にそれぞれ係合する鍔１１が周設されており、さらに、前記連結杆１０は、前記各ローラー７、ローラー８、９の中心孔用の軸部１２と、これらの軸部１２をそれぞれ一体的に連結する前後一対の棒状連結部１３、１３とから成ることを特徴とするバランス感覚訓練用運動具。
【請求項３】
材質自体の弾性力により湾曲状に変位可能な板状支持部５Ｂの両端部にそれぞれ脚部６を有するベース体２Ｂと、このベース体２Ｂの上面を左右方向に滑動するローラー構造体３Ｂと、このローラー構造体３Ｂに載せられ、かつ、利用者が乗ってバランスを取るバランスボード４Ｂとから成るバランス感覚訓練用運動具であって、前記ローラー構造体３Ｂは、大径の中心ローラー７Ｂと、この中心ローラー７Ｂの左右に位置し、かつ、中心ローラー７Ｂよりも小径の左右のローラー８Ｂ、９Ｂと、これらの各ローラー７Ｂ、８Ｂ、９Ｂを軸孔１６を介して所定間隔に軸支すると共に、ベース体２並びにバランスボード４Ｂの前後の側壁にそれぞれ係合する前後一対の長板状係合板１７を有する連結杆１０Ｂとから成ることを特徴とするバランス感覚訓練用運動具。
【請求項４】
予め下方に湾曲状に形成された板状支持部５Ａの両端部にそれぞれ脚部６を有するベース体２Ａと、このベース体２Ａの上面を左右方向に滑動するローラー構造体３Ｂと、このローラー構造体３Ｂに載せられ、かつ、利用者が乗ってバランスを取るバランスボード４Ｂとから成るバランス感覚訓練用運動具であって、前記ローラー構造体３Ｂは、大径の中心ローラー７Ｂと、この中心ローラー７Ｂの左右に位置し、かつ、中心ローラー７Ｂよりも小径の左右のローラー８Ｂ、９Ｂと、これらの各ローラー７Ｂ、８Ｂ、９Ｂを軸孔１６を介して所定間隔に軸支すると共に、ベース体２Ａ並びにバランスボード４Ｂの前後の側壁にそれぞれ係合する前後一対の長板状係合板１７を有する連結杆１０Ｂとから成ることを特徴とするバランス感覚訓練用運動具。
【請求項５】
材質自体の弾性力により湾曲状に変位可能な板状支持部５Ｃの両端部にそれぞれ脚部６を有するベース体２Ｃと、このベース体２Ｃの上面を左右方向に滑動するローラー構造体３Ｃと、このローラー構造体３Ｃに載せられ、かつ、利用者が乗ってバランスを取るバランスボード４Ｃとから成るバランス感覚訓練用運動具であって、前記支持部５Ｃの上面に所要間隔を有して一対のベースレール２０、２０を固定的に敷設し、また前記ローラー構造体３Ｃは、大径の一対の中心滑車７Ｃ、７Ｃと、これらの中心滑車ローラー７Ｃ、７Ｃの左右に位置し、かつ、中心滑車よりも小径の左右の滑車８Ｃ、８Ｃ、９Ｃ、９Ｃと、これらの各滑車７Ｃ、８Ｃ、９Ｃを所定間隔に連結する連結杆１０Ｃとから成り、また、バランスボード４Ｃの下面には、ローラー構造体３Ｃの前記各滑車７Ｃ、８Ｃ、９Ｃに案内されるガイドレール２１、２１が一対設けられ、さらに、前記各ローラー７Ｃ、ローラー８Ｃ、９Ｃの中心孔用の軸部１２と、これらの軸部１２をそれぞれ一体的に連結する前後一対の棒状連結部１３、１３とから成ることを特徴とするバランス感覚訓練用運動具。
【請求項６】
予め下方に湾曲状に形成された板状支持部５Ａの両端部にそれぞれ脚部６を有するベース体２Ａと、このベース体２Ａの上面を左右方向に滑動するローラー構造体３Ｃと、このローラー構造体３Ｃに載せられ、かつ、利用者が乗ってバランスを取るバランスボード４Ｃとから成るバランス感覚訓練用運動具であって、前記支持部５Ａの上面に所要間隔を有して一対のベースレール２０、２０を固定的に敷設し、また前記ローラー構造体３Ｃは、大径の一対の中心滑車７Ｃ、７Ｃと、これらの中心滑車ローラー７Ｃ、７Ｃの左右に位置し、かつ、中心滑車よりも小径の左右の滑車８Ｃ、８Ｃ、９Ｃ、９Ｃと、これらの各滑車７Ｃ、８Ｃ、９Ｃを所定間隔に連結する連結杆１０Ｃとから成り、また、バランスボード４Ｃの下面には、ローラー構造体３Ｃの前記各滑車７Ｃ、８Ｃ、９Ｃに案内されるガイドレール２１、２１が一対設けられ、さらに、前記各ローラー７Ｃ、ローラー８Ｃ、９Ｃの中心孔用の軸部１２と、これらの軸部１２をそれぞれ一体的に連結する前後一対の棒状連結部１３、１３とから成ることを特徴とするバランス感覚訓練用運動具。
【発明の詳細な説明】
【０００１】
【発明の属する技術分野】
本発明は床面などで使用されるバランス感覚訓練用運動具に関する。
【０００２】
【従来の技術】
一般にスキー、サーフボード、スノーボードなどのスポーツを楽しむ場合、他のスポーツよりもバランス感覚が要求される。ところが、現在、バランス感覚を養うのに適当な運動具が見当たらない。バランス感覚を身に付けるには、日頃、例えば電車に乗った時に座席に座らないとか、或いは吊り革に掴まらないことにより、ある程度バランス感覚の訓練を行うことができる。しかしながら、日頃のこのような心掛けだけではハードなスポーツを行うのに適した十分なバランス感覚を養うことができない。そこで、手軽にバランス感覚の訓練ができる運動具の出現が要望されている。
【０００３】
【発明が解決しようとする課題】
本発明の第１の目的は、手軽にバランス感覚の訓練ができる運動具を提供することである。また本発明の第２の目的は、バランスボードが利用者の体重移動により容易にローラー構造体と共に左右に往復動することである。そして、特に体重移動がゆっくりならゆっくり、高速なら高速に、いわゆるショックを感じることなくスムースな往復運動を行えることである。さらに本発明の第３の目的は、利用者の安全性を考慮し、使用時にベース体、ローラー構造体及びバランスボードがそれぞれバラバラに成らないことである。
【０００４】
【課題を解決するための手段】
本発明のバランス感覚訓練用運動具は、材質自体の弾性力により湾曲状に変位可能な板状支持部５の両端部にそれぞれ脚部６を有する１枚のベース体２と、このベース体２の上面を左右方向に滑動するローラー構造体３と、このローラー構造体３に載せられ、かつ、利用者が乗ってバランスを取るバランスボード４とから成るバランス感覚訓練用運動具であって、前記ローラー構造体３は、大径の中心ローラー７と、この中心ローラー７の左右に位置し、かつ、中心ローラー７よりも小径の左右のローラー８、９と、中心ローラー７及び左右のローラー８、９を所定間隔に連結する連結杆１０とから成り、また、前記左右のローラー８、９の両端部には、ベース体２並びにバランスボード４にそれぞれ係合する鍔１１が周設されており、さらに、前記連結杆１０は、前記各ローラー７、ローラー８、９の中心孔用の軸部１２と、これらの軸部１２をそれぞれ一体的に連結する前後一対の棒状連結部１３、１３とから成る。
【０００５】
また本発明のバランス感覚訓練用運動具は、予め下方に湾曲状に形成された板状支持部５Ａの両端部にそれぞれ脚部６を有する１枚のベース体２Ａと、このベース体２Ａの上面を左右方向に滑動するローラー構造体３と、このローラー構造体３に載せられ、かつ、利用者が乗ってバランスを取るバランスボード４とから成るバランス感覚訓練用運動具であって、前記ローラー構造体３は、大径の中心ローラー７と、この中心ローラー７の左右に位置し、かつ、中心ローラー７よりも小径の左右のローラー８、９と、中心ローラー７及び左右のローラー８、９を所定間隔に連結する連結杆１０とから成り、また、前記左右のローラー８、９の両端部には、ベース体２並びにバランスボード４にそれぞれ係合する鍔１１が周設されており、さらに、前記連結杆１０は、前記各ローラー７、ローラー８、９の中心孔用の軸部１２と、これらの軸部１２をそれぞれ一体的に連結する前後一対の棒状連結部１３、１３とから成る。
【０００６】
また本発明のバランス感覚訓練用運動具は、材質自体の弾性力により湾曲状に変位可能な板状支持部５Ｂの両端部にそれぞれ脚部６を有するベース体２Ｂと、このベース体２Ｂの上面を左右方向に滑動するローラー構造体３Ｂと、このローラー構造体３Ｂに載せられ、かつ、利用者が乗ってバランスを取るバランスボード４Ｂとから成るバランス感覚訓練用運動具であって、前記ローラー構造体３Ｂは、大径の中心ローラー７Ｂと、この中心ローラー７Ｂの左右に位置し、かつ、中心ローラー７Ｂよりも小径の左右のローラー８Ｂ、９Ｂと、これらの各ローラー７Ｂ、８Ｂ、９Ｂを軸孔１６を介して所定間隔に軸支すると共に、ベース体２並びにバランスボード４Ｂの前後の側壁にそれぞれ係合する前後一対の長板状係合板１７を有する連結杆１０Ｂとから成る。
【０００７】
また本発明のバランス感覚訓練用運動具は、予め下方に湾曲状に形成された板状支持部５Ａの両端部にそれぞれ脚部６を有するベース体２Ａと、このベース体２Ａの上面を左右方向に滑動するローラー構造体３Ｂと、このローラー構造体３Ｂに載せられ、かつ、利用者が乗ってバランスを取るバランスボード４Ｂとから成るバランス感覚訓練用運動具であって、前記ローラー構造体３Ｂは、大径の中心ローラー７Ｂと、この中心ローラー７Ｂの左右に位置し、かつ、中心ローラー７Ｂよりも小径の左右のローラー８Ｂ、９Ｂと、これらの各ローラー７Ｂ、８Ｂ、９Ｂを軸孔１６を介して所定間隔に軸支すると共に、ベース体２Ａ並びにバランスボード４Ｂの前後の側壁にそれぞれ係合する前後一対の長板状係合板１７を有する連結杆１０Ｂとから成る。
【０００８】
また本発明のバランス感覚訓練用運動具は、  材質自体の弾性力により湾曲状に変位可能な板状支持部５Ｃの両端部にそれぞれ脚部６を有するベース体２Ｃと、このベース体２Ｃの上面を左右方向に滑動するローラー構造体３Ｃと、このローラー構造体３Ｃに載せられ、かつ、利用者が乗ってバランスを取るバランスボード４Ｃとから成るバランス感覚訓練用運動具であって、前記支持部５Ｃの上面に所要間隔を有して一対のベースレール２０、２０を固定的に敷設し、また前記ローラー構造体３Ｃは、大径の一対の中心滑車７Ｃ、７Ｃと、これらの中心滑車ローラー７Ｃ、７Ｃの左右に位置し、かつ、中心滑車よりも小径の左右の滑車８Ｃ、８Ｃ、９Ｃ、９Ｃと、これらの各滑車７Ｃ、８Ｃ、９Ｃを所定間隔に連結する連結杆１０Ｃとから成り、また、バランスボード４Ｃの下面には、ローラー構造体３Ｃの前記各滑車７Ｃ、８Ｃ、９Ｃに案内されるガイドレール２１、２１が一対設けられ、さらに、前記各ローラー７Ｃ、ローラー８Ｃ、９Ｃの中心孔用の軸部１２と、これらの軸部１２をそれぞれ一体的に連結する前後一対の棒状連結部１３、１３とから成る。
【０００９】
さらに、本発明のバランス感覚訓練用運動具は、  予め下方に湾曲状に形成された板状支持部５Ａの両端部にそれぞれ脚部６を有するベース体２Ａと、このベース体２Ａの上面を左右方向に滑動するローラー構造体３Ｃと、このローラー構造体３Ｃに載せられ、かつ、利用者が乗ってバランスを取るバランスボード４Ｃとから成るバランス感覚訓練用運動具であって、前記支持部５Ａの上面に所要間隔を有して一対のベースレール２０、２０を固定的に敷設し、また前記ローラー構造体３Ｃは、大径の一対の中心滑車７Ｃ、７Ｃと、これらの中心滑車ローラー７Ｃ、７Ｃの左右に位置し、かつ、中心滑車よりも小径の左右の滑車８Ｃ、８Ｃ、９Ｃ、９Ｃと、これらの各滑車７Ｃ、８Ｃ、９Ｃを所定間隔に連結する連結杆１０Ｃとから成り、また、バランスボード４Ｃの下面には、ローラー構造体３Ｃの前記各滑車７Ｃ、８Ｃ、９Ｃに案内されるガイドレール２１、２１が一対設けられ、さらに、前記各ローラー７Ｃ、ローラー８Ｃ、９Ｃの中心孔用の軸部１２と、これらの軸部１２をそれぞれ一体的に連結する前後一対の棒状連結部１３、１３とから成る。
【００１０】
【発明の実施の形態】
図面に示す本発明の実施の形態を第１実施例との関係で説明する。図１乃至図５に於いて、１は床面上で使用されるバランス感覚訓練用運動具である。このバランス感覚訓練用運動具１は、基本的には座卓型のベース体２と、このベース体２の上面を左右方向に滑動するローラー構造体３と、このローラー構造体３に載せられ、かつ、利用者が乗ってバランスを取るバランスボード４とから成る。
【００１１】
そこで、まずベース体２について説明する。ベース体２は、弾性力を有する金属板、合成樹脂板の一例であるプラスチック板、合成板などで形成された板状支持部５と、この板状支持部５の両端下部に突出して設けられた左右の短い脚部６とから成る。したがって、前記板状支持部５は利用者の体重がかかると、その材質自体の弾性力により湾曲状態に変位可能である。
【００１２】
次にローラー構造体３について説明する。このローラー構造体３は、この実施例では大径の中心ローラー７と、この中心ローラー７の左右に位置し、かつ、中心ローラー７よりも小径の左右のローラー８、９と、中心ローラー７及び左右のローラー８、９を所定間隔に連結する連結杆１０とから成る。
【００１３】
しかして、左ローラー８と右ローラー９は略同径であると共に、ベース体２の板状支持部５の前後幅よりも長い。また前記左右ローラー８、９の両端部（ここでは両端部寄りの部位も含む。）には、前記板状支持部５の前後の側壁５ａ、５ａと係合する係合部としての鍔１１、１１が周設されている。また前記連結杆１０は、中心ローラー７並びに左右ローラー８、９の軸芯方向の各中心孔を貫通する軸部１２と、これらの軸部１２をそれぞれ一体的に連結する前後一対の棒状連結部１３、１３とから成る。
【００１４】
次にバランスボード４について説明する。このバランスボード４の大きさは、ベース体２の板状支持部５と略同一である。このバランスボード４も、前記板状支持部５と同様に弾性力を有する金属板、合成樹脂板の一例であるプラスチック板、板材などで形成されている。したがって、図６で示すようにバランスボード４をローラー構造体３の上に載せ、その後に利用者１５が該バランスボード４の上に乗ると、湾曲状に弾性変位するバランスボード４の前後の側壁４ａ、４ａは、左右ローラー８、９の係合部１１と係合可能である。
【００１５】
上記構成に於いて、利用者１５が運動具１を利用する場合には、例えば床面Ｆにベース体２を置く。次にローラー構造体３をこのベース体２の板状支持部５の上に載せる。この場合その左右ローラー８、９の鍔１１、１１が板状支持部５の側壁５ａに係合可能な状態にセットする。次にローラー構造体３の上にバランスボード４を載せる。そこで、図６で示すように利用者１５が該バランスボード４の上に乗ると、ベース体２及びバランスボード４は互いに対向するように多少湾曲状に弾性変位し、それらの前後の側壁５ａ、５ａ、４ａ、４ａは、左右ローラー８、９の係合部１１とそれぞれ係合する。
【００１６】
しかして、図５は運動具１の使用状態を示す。図５に於いて、符号２０は利用者１５が左Ｌと右Ｒに等しく体重を掛けた時の説明図である。この場合ベース体２の板状支持部５が下方に湾曲状に変位し、またバランスボード４も多少湾曲状に変位するが、左右にバランスがとれた状態では、中心ローラー７の高さより低い左右ローラー８、９は同じの高さなので、左右ローラー８、９に同じ重量がかかり、したがって、移動の力も等しく、バランスボード４は左右いずれにも移動しない。
【００１７】
次に符号２１は利用者１５が右Ｒに全体重を掛けたときの説明図である。この図では、左側のローラー８への加重が「０」の状態になる。一方、バランスボード４は中心ローラー７及び右側ローラー９の上部に載った状態になる。この時各ローラー７、９の接触位置は、右側ローラー９よりも中心ローラー７が高いので、バランスボード４は矢印で示すように右Ｒに滑り始める。このとき、右ローラー９の鍔１１はベース体２の支持部５及びバランスボード４の前後の側壁５ａ、４ａにそれぞれ摺接係合している。したがって、ローラー構造体３はベース体２から、またバランスボード４はローラー構造体３からそれぞれ容易に外れない。
【００１８】
次に符号２３はバランスボード４が右に移動中の状態を示す説明図である。この図では、ローラー７、９の各接触位置は右側ローラー９よりも中心ローラー７が少し高い状態あるいは同等ある。しかし、このような場合であっても、右側ローラー９への加重はバランスボード４が右に移動するほど大きく、また惰性力もあるのでそのまま移動を続ける。
【００１９】
次に符号２４はバランスボード４の移動の限度を示す停止状態の説明図である。この場合バランスボード４の右Ｒ移動しようとする惰性力と各ローラー７、９の高低差によって生じるバランスボード４への制動力により、両方の力のバランス時点でバランスボード４は停止する。この時ベース体２に対する各ローラー７、９の接触位置が放物線状の板状水平部５の影響で中心ローラー７よりも右ローラー９がかなり高くなり、バランスボード４に左Ｌに戻ろうとする力が発生する。そこで、利用者１５は今度は左側に全体重をかけるようにする。
【００２０】
次に符号２５は上述したような理屈でバランスボード４が左側Ｌに移動し、かつ、停止した場合を示す。この場合利用者１５が全体重を左Ｌに移すと、左ローラー８及び中心ローラー７に加重がかかり、前述したようにバランスボード４はバランス点で停止する。このようにバランスボード４は利用者１５の体重移動によりローラー構造体３と共に左右に往復動する。
【００２１】
【実施例】
まず発明の実施の形態で説明した第１実施例に於いて、ローラー構造体３の左右ローラー８、９の両端部には、板状支持部５の前後の側壁５ａ、５ａと係合する係合部としての鍔１１、１１が周設されている旨を説明したが、ベース体２の前後の側壁５ａ、５ａに係合部としてのバー状の水平突片を一体的に形成し、一方、前記左右ローラー８、９の両端部に鍔１１、１１を形成せず、このような鍔を有しないローラー構造体３をベース体２の係合部内の支持部５の上面に載せても良い。
【００２２】
また発明の実施の形態で説明した第１実施例及びこれから説明する他の実施例に於いて、ベース体の板状支持部は、図７で示すベース体２Ａのように、板状支持部５Ａが予め湾曲状に形成されていても良い。また特に図示しないがローラー構造体３の各ローラー７、８、９をラクビー状に形成しても良い。
【００２３】
次に図８乃至図１４に示す本発明の他の実施例に付き説明する。なお、これらの実施例の説明に当たって、発明の実施の形態で説明した第１実施例と同一の部分には同一又は同様の符号を付し、重複する説明を省略する。
【００２４】
図８乃至図１１は第２実施例の運動具１Ｂである。この第２実施例は、ローラー構造体３Ｂ点が第１実施例と異なる。すなわち、このローラー構造体３Ｂは、大径の中心ローラー７Ｂと、この中心ローラー７Ｂの左右に位置し、かつ、中心ローラー７Ｂよりも小径の左右のローラー８Ｂ、９Ｂと、中心ローラー７Ｂ及び左右のローラー８Ｂ、９Ｂを所定間隔に連結する連結杆１０Ｂとから成る点は第１実施例と同様であるが、前記左右のローラー８Ｂ、９Ｂの両端部には、係合部としての鍔が形成されていない。
【００２５】
また各ローラー７Ｂ、８Ｂ、９Ｂは、連結杆１０Ｂに所定間隔を有して配設された複数個の横軸１２Ｂを介して回動自在に軸支されている点は第１実施例と同様であるが、前記連結杆１０Ｂは、ベース体２Ｂの板状支持部５Ｂの前後の側壁５ａ、５ａにそれぞれ係合する前後一対の長板状係合板１７と、これらの長板状係合板１７の両端部をそれぞれ連結し、少なくとも長板状係合板１７よりも縦寸法が短い左右一対の連結板（棒）１８とから成る。
【００２６】
上記構成に於いては、ローラー構造体３Ｂをベース体２Ｂの板状支持部５Ｂの上に載せると、各ローラー７Ｂ、８Ｂ、９Ｂが板状支持部５Ｂの上面に回動自在に支持される共に、連結杆１０Ｂの長板状係合板１７、１７の下端縁部は板状支持部５Ｂの前後の側壁５ａ、５ａにそれぞれ係合する。一方、ローラー構造体３Ｂの上にバランスボード４Ｂを載せると、直ちにバランスボード４Ｂの前後の側壁４ａ、４ａは前記長板状係合板１６、１６の上端縁部に係合する。
【００２７】
したがって、ローラー構造体３Ｂはベース体２Ｂから、またバランスボード４Ｂはローラー構造体３Ｂからそれぞれ容易に外れない。
【００２８】
図１２乃至図１４は第３実施例の運動具１Ｃである。この第３実施例は、ベース体２Ｃ、ローラー構造体３Ｃ、及びバランスボード４Ｃが第１実施例と異なる。すなわち、ベース体２Ｃは第１実施例と同様に材質自体により弾性変位可能であるが、板状支持部５Ｃの上面に所要間隔を有して一対のパイプ状、角材状など任意形状のベースレール２０、２０が固定的に敷設されている。これらのレール２０、２０は、もちろん板状支持部５Ｃと共に材質自体の弾性力により変位可能である。
【００２９】
またローラー構造体３Ｃは、大径の中心ローラーに相当する一対の中心滑車７Ｃ、７Ｃと、これらの中心滑車ローラー７Ｃ、７Ｃの左右に位置し、かつ、中心滑車よりも小径の左右の滑車８Ｃ、８Ｃ、９Ｃ、９Ｃと、これらの各滑車７Ｃ、８Ｃ、９Ｃを所定間隔に連結する棒状の連結杆１０Ｃとから成る。
【００３０】
またバランスボード４Ｃの下面には、ローラー構造体３Ｃの前記各滑車７Ｃ、８Ｃ、９Ｃに案内されるガイドレール２１、２１が一対設けられている。
【００３１】
この実施例に於いては、前記各滑車７Ｃ、８Ｃ、９Ｃは戸車状のローラが使用されている。したがって、ローラー構造体３Ｃはベース体２Ｃから、またバランスボード４Ｃはローラー構造体３Ｃからそれぞれ容易に外れない。
【００３２】
なお、第１乃至第３実施例に於いて、運動具は、基本的には弾性変位可能な支持部又は予め湾曲状に形成されたベース体２（２Ａ、２Ｂ）と、このベース体の上面を左右方向に滑動し、かつ、左右のローラー（滑車）よりも大径の中心ローラー（中心滑車）を有するローラー構造体３（３Ａ、３Ｂ）と、このローラー構造体に載せられ、かつ、利用者が乗ってバランスを取るバランスボード４（４Ｂ、４Ｃ）とから成るのであれば、前記ベース体２（２Ａ）を平面弧状に形成し、一方、ローラー構造体３の各ローラー７、８、９を円錐状に形成しても良い。
【００３３】
【発明の効果】
以上の説明から明らかなように、本発明にあっては次に列挙するような効果がある。
（１）手軽にバランス感覚の訓練ができる運動具を提供することができる。
（２）バランスボードが利用者の体重移動により容易にローラー構造体と共に左右に往復動する。
（３）運搬が容易であると共に、使用する際に各部材を簡単に組合わせることができる。したがって、手軽に所望する場所で何時でも訓練をすることができる。
（４）使用時、ベース体、ローラー構造体及びバランスボードがそれぞれバラバラに成らないので、利用者の安全性を図ることができる。
（５）体重移動がゆっくりならゆっくり、高速なら高速に、いわゆるショックを感じることなくスムースな往復運動を行える。
【図面の簡単な説明】
図１乃至図６は本発明の実施の形態を第１実施例を用いて説明する各説明図。図７は本発明の第１乃至第３実施例に於けるベース体の変形例を示す説明図。図８乃至図１１は本発明の第２実施例を示す各説明図、図１２乃至図１４は本発明の第３実施例を示す各説明図である。
【図１】第１実施例の分解斜視図。
【図２】組合わせた状態に於ける正面図。
【図３】組合わせた状態に於ける平面図。
【図４】組合わせた状態に於ける左側面図。
【図５】使用状態の説明図。
【図６】使用状態の初期段階の説明図。
【図７】第１乃至第３実施例に於けるベース体の変形例を示す説明図。
【図８】第２実施例の分解斜視図。
【図９】要部（ローラー構造体）の平面図。
【図１０】組合わせた状態に於ける正面図。
【図１１】図１０に於ける縦断面。
【図１２】第３実施例の分解斜視図。
【図１３】組合わせた状態に於ける正面図。
【図１４】組合わせた状態に於ける左側面図。
【符号の説明】
１、１Ｂ、１Ｃ…運動具、２、２Ａ、２Ｂ、２Ｃ…ベース体、３Ｂ、３Ｃ…ローラー構造体、４、４Ｂ、４Ｃ…バランスボード、５、５Ａ、５Ｂ、５Ｃ…支持部、６…脚部、７、７Ｂ…中心ローラー、８、８Ｂ…左ローラー、９、９Ｂ…右ローラー、７Ｃ、８Ｃ、９Ｃ…滑車、１０、１０Ｂ、１０Ｃ…連結杆、１１…鍔、１６…軸孔、１７…係合板、１８…連結棒、２０…ベースレール。
【図１】
0003777413.tif 000002
【図２】
0003777413.tif 000003
【図３】
0003777413.tif 000004
【図４】
0003777413.tif 000005
【図５】
0003777413.tif 000006
【図６】
0003777413.tif 000007
【図７】
0003777413.tif 000008
【図８】
0003777413.tif 000009
【図９】
0003777413.tif 000010
【図１０】
0003777413.tif 000011
【図１１】
0003777413.tif 000012
【図１２】
0003777413.tif 000013
【図１３】
0003777413.tif 000014
【図１４】
0003777413.tif 000015